(57)【要約】【課題】一般的なシール用の印刷機を用いて安価かつ簡単に製造可能であり、小口のロット生産であっても需要に応じて、かつ納期も短く製造可能な応募券用シールおよび応募券用シール貼付け方法を提供すること。【解決手段】当たり表示部４を応募券本体部３の裏面に裏打ちして応募券本体部３自体により当たり表示部４の印刷内容を目隠し可能とすること、当たり表示部４に貫通孔９を形成可能とすることに着目し、貼付け部２に切取り線６を介して隣接する応募券本体部３と、応募券本体部３に折返し線８を介して隣接し、折返し線８部分で折り返して応募券本体部３に裏打ちしたときに、応募券本体部３の裏面における粘着剤層を商品あるいはその包装容器の方向に露出可能な貫通孔９を形成した当たり表示部４と、を有するとともに、当たり表示部４は、応募券本体部３より小さな面積を有していることを特徴とする。【選択図】図１
2008145857.tif 000002
【特許請求の範囲】
【請求項１】
所定の商品あるいはその包装容器に貼り付け可能であるとともに、応募券を形成する応募券用シールであって、
その裏面に粘着剤層を形成して前記商品あるいは前記包装容器に貼り付け可能である貼付け部と、
その裏面に粘着剤層を形成しているとともに、この貼付け部に切取り線を介して隣接し、かつ、前記応募券を形成可能な応募券本体部と、
この応募券本体部に折返し線を介して隣接しているとともに、この折返し線部分で折り返してこの応募券本体部に裏打ちしたときに、前記応募券本体部の前記裏面における前記粘着剤層を前記商品あるいはその包装容器の方向に露出可能な貫通孔を形成した当たり表示部と、
を有するとともに、
この当たり表示部は、前記応募券本体部より小さな面積を有していることを特徴とする応募券用シール。
【請求項２】
前記当たり表示部は、前記折返し線部分で折り返して前記応募券本体部に裏打ちしたときに、前記応募券本体部より内方側に位置していることを特徴とする請求項１記載の応募券用シール。
【請求項３】
前記当たり表示部は、前記折返し線部分で折り返して前記応募券本体部に裏打ちしたときに、前記応募券本体部における前記粘着剤層をその外方側に露出可能としていることを特徴とする請求項１記載の応募券用シール。
【請求項４】
前記当たり表示部は、前記折返し線部分で折り返す折返し方向において前記応募券本体部と同じ長さを有するとともに、
この折返し方向に直交する方向には、より狭い幅を有し、
前記当たり表示部の両側の外方側に前記応募券本体部における前記粘着剤層を露出可能としていることを特徴とする請求項１記載の応募券用シール。
【請求項５】
前記貫通孔は、その外周縁が前記折返し線に接していることを特徴とする請求項１記載の応募券用シール。
【請求項６】
前記貫通孔は、前記折返し線から離れている部位にこれを形成したことを特徴とする請求項１記載の応募券用シール。
【請求項７】
所定の商品あるいはその包装容器に貼り付け可能であるとともに、応募券を形成する応募券用シール貼付け方法であって、
その裏面に粘着剤層を形成して前記商品あるいは前記包装容器に貼り付け可能である貼付け部と、
その裏面に粘着剤層を形成しているとともに、この貼付け部に切取り線を介して隣接し、かつ、前記応募券を形成可能な応募券本体部と、
この応募券本体部に折返し線を介して隣接しているとともに、この折返し線部分で折り返してこの応募券本体部に裏打ちしたときに、前記応募券本体部の前記裏面における前記粘着剤層を前記商品あるいは前記包装容器の方向に露出可能な貫通孔を形成した当たり表示部と、
を有し、かつ、
この当たり表示部が前記応募券本体部より小さな面積を有している応募券用シールを形成し、
前記当たり表示部を前記折返し線部分で折り返して前記応募券本体部に裏打ちし、
前記当たり表示部の前記貫通孔を介して前記応募券本体部の前記裏面における前記粘着剤層により、前記応募券本体部を前記商品あるいは前記包装容器に貼り付けることを特徴とする応募券用シール貼付け方法。
【発明の詳細な説明】
【技術分野】
【０００１】
本発明は応募券用シールおよび応募券用シール貼付け方法にかかるもので、とくに安価かつ簡単に製造可能な応募券用シールおよび応募券用シール貼付け方法に関するものである。
【背景技術】
【０００２】
従来から、商品の販売促進のために、商品あるいはその包装容器にキャンペーン用その他の目的の応募券を取り付けておき、商品の購入客に当該応募券を販売元ないし製造元に送付してもらったり、レジにおいて所要のサービスを提供するということが行われていた。
一般的な応募券を形成するための応募券用シールは、複雑な構成を有する多層シールが多く、その製造のために専用の設備を必要とし、大口のロット生産を避けられないという問題がある。
とくに、当たり表示を行うことにより、何らかのサービスを行うようにした応募券においては、その裏面に「当たり」の表示をあらかじめ印刷しておく必要があり、しかもこの「当たり」の表示が事前に顧客に見えないように何らかの不透明な被覆ないし目隠しをしておく必要があり、多層シールとならざるを得ないという問題がある。
逆に、一般的な印刷設備により需要に応じた小回りのきく小口のロット生産では、シール単価などがネックとなって、多層シールを製造することが困難であるという問題があり、小口の応募券用シールを一般的なシール印刷機により需要に応じてタイミングよく製造することが困難であるという問題がある。
【０００３】
【特許文献１】特開２００１−１３４１９０号公報
【発明の開示】
【発明が解決しようとする課題】
【０００４】
本発明は以上のような諸問題にかんがみなされたもので、安価かつ簡単に製造可能な応募券用シールおよび応募券用シール貼付け方法を提供することを課題とする。
【０００５】
また本発明は、一般的なシール用の印刷機を用いて製造可能な応募券用シールおよび応募券用シール貼付け方法を提供することを課題とする。
【０００６】
また本発明は、小口のロット生産であっても需要に応じて、かつ納期も短く製造可能な応募券用シールおよび応募券用シール貼付け方法を提供することを課題とする。
【課題を解決するための手段】
【０００７】
すなわち本発明は、「当たり」などの表示をあらかじめ印刷した当たり表示部を応募券本体部の裏面に裏打ちして応募券本体部自体により当たり表示部の印刷内容を目隠し可能とすること、この当たり表示部に貫通孔を形成可能とすることに着目したもので、第一の発明は、所定の商品あるいはその包装容器に貼り付け可能であるとともに、応募券を形成する応募券用シールであって、その裏面に粘着剤層を形成して上記商品あるいは上記包装容器に貼り付け可能である貼付け部と、その裏面に粘着剤層を形成しているとともに、この貼付け部に切取り線を介して隣接し、かつ、上記応募券を形成可能な応募券本体部と、この応募券本体部に折返し線を介して隣接しているとともに、この折返し線部分で折り返してこの応募券本体部に裏打ちしたときに、上記応募券本体部の上記裏面における上記粘着剤層を上記商品あるいはその包装容器の方向に露出可能な貫通孔を形成した当たり表示部と、を有するとともに、この当たり表示部は、上記応募券本体部より小さな面積を有していることを特徴とする応募券用シールである。
【０００８】
第二の発明は、所定の商品あるいはその包装容器に貼り付け可能であるとともに、応募券を形成する応募券用シール貼付け方法であって、その裏面に粘着剤層を形成して上記商品あるいは上記包装容器に貼り付け可能である貼付け部と、その裏面に粘着剤層を形成しているとともに、この貼付け部に切取り線を介して隣接し、かつ、上記応募券を形成可能な応募券本体部と、この応募券本体部に折返し線を介して隣接しているとともに、この折返し線部分で折り返してこの応募券本体部に裏打ちしたときに、上記応募券本体部の上記裏面における上記粘着剤層を上記商品あるいは上記包装容器の方向に露出可能な貫通孔を形成した当たり表示部と、を有し、かつ、この当たり表示部が上記応募券本体部より小さな面積を有している応募券用シールを形成し、上記当たり表示部を上記折返し線部分で折り返して上記応募券本体部に裏打ちし、上記当たり表示部の上記貫通孔を介して上記応募券本体部の上記裏面における上記粘着剤層により、上記応募券本体部を上記商品あるいは上記包装容器に貼り付けることを特徴とする応募券用シール貼付け方法である。
【０００９】
上記当たり表示部は、上記折返し線部分で折り返して上記応募券本体部に裏打ちしたときに、上記応募券本体部より内方側に位置していることができる。
【００１０】
上記当たり表示部は、上記折返し線部分で折り返して上記応募券本体部に裏打ちしたときに、上記応募券本体部における上記粘着剤層をその外方側に露出可能としていることができる。
【００１１】
上記当たり表示部は、上記折返し線部分で折り返す折返し方向において上記応募券本体部と同じ長さを有するとともに、この折返し方向に直交する方向には、より狭い幅を有し、上記当たり表示部の両側の外方側に上記応募券本体部における上記粘着剤層を露出可能としていることができる。
【００１２】
上記貫通孔は、その外周縁が上記折返し線に接していることができる。
【００１３】
上記貫通孔は、上記折返し線から離れている部位にこれを形成することができる。
【００１４】
上記粘着剤層の粘着剤は、一般的なタイプの糊剤を使用可能である。
【発明の効果】
【００１５】
本発明による応募券用シールおよび応募券用シール貼付け方法においては、商品あるいは包装容器に貼り付け可能である貼付け部と、貼付け部に切取り線を介して隣接している応募券本体部と、応募券本体部に裏打ちしたときに応募券本体部の裏面における粘着剤層を商品あるいはその包装容器の方向に露出可能な貫通孔を形成した当たり表示部と、を設けたので、当たり表示部を応募券本体部に裏打ちするように折り返したときに、貫通孔を通して応募券本体部の粘着剤層が商品ないしその包装容器側に露出し、当たり表示部に裏打ちされた応募券本体部を商品などに貼り付けることができる。
したがって、シール基材の表面への「当たり」や「応募券」などの印刷、およびその裏面への粘着剤の塗布、さらにはミシン目などの切取り線や折返し線の形成、貫通孔の型抜きなどの製造工程は、一般的なシール印刷機により簡単に実施可能であり、小口のロットであっても、安価かつ短い納期で製造可能である。
【００１６】
とくに第一の発明によれば、多層シール構造を採用することなく、単層のシール基材への単純な印刷および粘着剤の塗布などで製造可能であるとともに、当たり表示部を応募券本体部側に折返して貼り付ける操作だけであるので、貼り付ける作業も簡単である。
【００１７】
とくに第二の発明によれば、当たり表示部を折返し線の部分で折返して応募券本体部とともに商品などに貼り付けることにより、当たり表示部を応募券本体部の裏面に位置させてその印刷内容の目隠しをすることができるとともに、貫通孔を通して応募券本体部の粘着剤層がその機能を発揮するので、この貫通孔の粘着剤層のみによる貼付け形態を採ることができるとともに、応募券本体部の他の部分の粘着剤層と合せれば、その貼付け力を向上させることができる。
【発明を実施するための最良の形態】
【００１８】
本発明は、貼付け部、応募券本体部および当たり表示部を画成するとともに、当たり表示部に貫通孔を形成した簡単な構成で、貼付け力を補強可能とし、さらに小口でも安価に製造可能な応募券用シールおよび応募券用シール貼付け方法を実現した。
【実施例】
【００１９】
つぎに本発明の第１の実施例による応募券用シール１および応募券用シール貼付け方法を図１ないし図６にもとづき説明する。
図１は、応募券用シール１の平面図、図２は、同、裏面図、図３は、同、縦断面図である。
応募券用シール１は、所定の商品あるいはその包装容器に貼り付け可能であるとともに、応募券を形成するものであって、任意の上質紙あるいは合成紙などによるシール基材からこれを構成し、貼付け部２と、応募券本体部３と、当たり表示部４と、を有するとともに、台紙５（図３、仮想線）上にこれを仮着してある。
【００２０】
貼付け部２は、たとえば正方形あるいは長方形など、貼付けに好適な任意の形状を呈し、商品Ｍ（あるいはその包装容器、図５および図６）に貼り付け可能とするだけの所定の面積を有する。
【００２１】
応募券本体部３は、切取り線６を介して貼付け部２に隣接しているとともに、応募券を形成可能である。
応募券本体部３の、切取り線６とは反対側の側端部に、当たり表示部４を形成してある。
【００２２】
上記貼付け部２、応募券本体部３および当たり表示部４のそれぞれの裏面に均一に粘着剤層７を形成している。なお、当たり表示部４には、必ずしも粘着剤層７を形成する必要はない。
台紙５には、その表面側に剥離剤層（図示せず）を塗布してあり、台紙５から上記貼付け部２、応募券本体部３および当たり表示部４を一体として剥離可能とし、後述するように所定の商品Ｍ（あるいはその包装容器）に貼り付け可能としている。
【００２３】
当たり表示部４は、応募券本体部３に折返し線８を介して隣接しているとともに、その内方において、その外周縁が折返し線８に接するように貫通孔９を形成してある。折返し線８は、ミシン目であってもよいし、単なる境界線であってもよい。
貫通孔９は、当たり表示部４を折返し線８部分で折り返して応募券本体部３に裏打ちして当たり表示部４を目隠ししたときに、応募券本体部３の裏面における粘着剤層７（貫通孔９に臨んで円形状となる粘着剤層７Ａ、図４を参照）を商品Ｍ（あるいはその包装容器）の方向に露出可能である。
【００２４】
この当たり表示部４は、応募券本体部３より小さな面積を有している。
この小さな面積としては、貫通孔９の面積を含む当たり表示部４全体の面積が応募券本体部３の面積より小さければよく、貫通孔９の面積を含まない当たり表示部４の面積が応募券本体部３の面積より小さい。
さらに、当たり表示部４は、折返し線８部分で折り返す折返し方向において応募券本体部３と同じ長さＬを有するとともに、この折返し方向に直交する方向には、応募券本体部３の幅Ｗ１より狭い幅Ｗ２を有し、当たり表示部４の両側の外方側に応募券本体部３における粘着剤層７（粘着剤層７Ｂおよび粘着剤層７Ｃ、図４を参照）を露出可能としている。
当たり表示部４は、折返し線８部分で折り返して応募券本体部３に裏打ちしたときに、応募券本体部３より内方側に位置しているものとする。すなわち、当たり表示部４は、折返し線８部分で折り返して応募券本体部３に裏打ちしたときに、応募券本体部３における粘着剤層７をその外方側に粘着剤層７Ｂおよび粘着剤層７Ｃなどとして露出可能としている。
【００２５】
上述した貼付け部２、応募券本体部３および当たり表示部４には、商品販売促進用に各種の印刷を行うものである。
ただし、応募券本体部３には「応募券」と表示し、当たり表示部４には「当たり」などと表示するものとする。
【００２６】
こうした構成の応募券用シール１を所定の商品Ｍ（あるいはその包装容器）に貼り付ける方法を図４ないし図６にもとづき説明する。
図４は、応募券用シール１から台紙５を剥離して、折返し線８の部分で当たり表示部４を応募券本体部３の裏面側に折り返し、応募券本体部３の裏面に裏打ちした状態の裏面図、図５は、当たり表示部４を裏打ちした状態の応募券用シール１を商品Ｍの表面に貼付け部２および応募券本体部３部分で貼り付ける状態を示す側断面図である。
図５に示すように、貼付け部２および応募券本体部３をその裏面の粘着剤層７（粘着剤層７Ｂおよび粘着剤層７Ｃ）により商品Ｍ（あるいはその包装容器）に貼り付けるとともに、貫通孔９から商品Ｍ方向に露出する粘着剤層７Ａにより応募券本体部３およびその下層側の当たり表示部４を商品Ｍに貼り付けることができる。すなわち、当たり表示部４の周縁部において、粘着剤層７Ｂ、７Ｃ、７Ａと、少なくとも三箇所における貼付け部位を確保し、貼付け力を補強することができる。
【００２７】
すなわち、当たり表示部４は、応募券本体部３の裏面において粘着剤層７Ｂ、粘着剤層７Ｃおよび粘着剤層７Ａ部分以外を被覆し、これら粘着剤層７Ｂ、粘着剤層７Ｃおよび粘着剤層７Ａのみを露出させて、応募券本体部３を商品Ｍに貼り付けた状態としているとともに、その「当たり」表示自体が応募券本体部により目隠しされ、外側からはどのような印刷内容かがわからないようにすることができる。
また、貫通孔９の部分に位置する粘着剤層７Ａが折返し線８のすぐ隣に位置しているので、悪意の顧客により応募券本体部３を無理やり剥がして、当たり表示部４の内容を確認しようとする行為を防止可能である。
なお、当たり表示部４の幅Ｗ２を応募券本体部４の幅Ｗ１と同一とするような構成を採用した場合でも、当たり表示部４の貫通孔９を介して応募券本体部３の裏面における粘着剤層７（粘着剤層７Ａ）のみによっても、応募券本体部３を商品Ｍに貼り付けるようにすることができる。
【００２８】
図６は、商品Ｍを購入した購入者が、応募券本体部３により応募する際の操作を示す側面図である。
図示のように、切取り線６の部分において応募券本体部３および当たり表示部４を一体的な貼付け体として貼付け部２（すなわち商品Ｍ）から切り離し、応募券本体部３の裏面に位置する当たり表示部４が「当たり」であるか否かを見ることができる。
「当たり」であれば、これをレジなどに直接持参するか、あるいは所定の応募用葉書（図示せず）などにより応募券本体部３を当たり表示部４とともに貼り付けて、郵送で応募することができる。
【００２９】
かくして、シール基材を一般的なシール印刷機（図示せず）に装填して、貼付け部２、応募券本体部３および当たり表示部４の画成（切取り線６および折返し線８の形成）、表面上への印刷、裏面上への粘着剤層７の塗布形成、さらには貫通孔９の形成など、通常の単層シール基材を用いた製造処理が可能となり、安価に、小口のロットであっても需要に応じて、かつ納期もかからずに製造が可能である。
【００３０】
なお本発明においては、当たり表示部４は、これを折返し線８の部分で折返したときに応募券本体部３内に隠れるような面積および形状を有するものであれば、その形状として四角形、三角形、あるいは台形など、任意の形状にこれを形成可能である。
また、貫通孔９の形状としても、図示した円形はもちろん、矩形状、三角形状、楕円形状など、任意の形状を採用可能である。
【００３１】
図７は、本発明の第２の実施例による応募券用シール１０の平面図、図８は、図４と同様の、応募券用シール１０から台紙５を剥離して、折返し線８の部分で当たり表示部４を応募券本体部３の裏面側に折り返し、応募券本体部３の裏面に裏打ちした状態の裏面図である。
応募券用シール１０においては、当たり表示部４の貫通孔９は、折返し線８から離れた、より内方側の部位にこれを形成している。
【００３２】
こうした構成の応募券用シール１０においても、第１の実施例による応募券用シール１（図１）と同様に、図８のように当たり表示部４を応募券本体部３の裏面側に折り返して、粘着剤層７により貼り合せ、粘着剤層７が貫通孔９から商品Ｍ側に露出して円形状の粘着剤層７Ｄとなり、当たり表示部４を商品Ｍに粘着剤層７Ｂおよび粘着剤層７Ｃとともに貼り付けることができる。
【００３３】
応募券用シール１０においては、当たり表示部４内の任意の部分に貫通孔９を形成することができるので、製造工程の精度をそれほど上げる必要がなく、さらに安価かつ簡単に製造が可能である。
また、「当たり」表示の印刷を第１の実施例による応募券用シール１（図１）の場合より、さらに内方側に位置させることができるので、悪意の顧客による、商品Ｍを購入せずに当たり表示部４の内容を確認しようとする行為をより確実に防止可能である。
【図面の簡単な説明】
【００３４】
【図１】本発明の第１の実施例による応募券用シール１の平面図である。
【図２】同、裏面図である。
【図３】同、縦断面図である。
【図４】同、応募券用シール１から台紙５を剥離して、折返し線８の部分で当たり表示部４を応募券本体部３の裏面側に折り返し、応募券本体部３の裏面に裏打ちした状態の裏面図である。
【図５】同、当たり表示部４を裏打ちした状態の応募券用シール１を商品Ｍの表面に貼付け部２および応募券本体部３部分で貼り付ける状態を示す側断面図である。
【図６】同、商品Ｍを購入した購入者が、応募券本体部３により応募する際の操作を示す側面図である。
【図７】本発明の第２の実施例による応募券用シール１０の平面図である。
【図８】同、図４と同様の、応募券用シール１０から台紙５を剥離して、折返し線８の部分で当たり表示部４を応募券本体部３の裏面側に折り返し、応募券本体部３の裏面に裏打ちした状態の裏面図である。
【符号の説明】
【００３５】
１  応募券用シール（第１の実施例、図１）
２  貼付け部
３  応募券本体部
４  当たり表示部
５  台紙
６  切取り線
７  粘着剤層
７Ａ  当たり表示部４の貫通孔９に臨む円形状の粘着剤層（図４）
７Ｂ  当たり表示部４の側部に位置する矩形状の粘着剤層
７Ｃ  当たり表示部４の側部に位置する矩形状の粘着剤層
７Ｄ  当たり表示部４の貫通孔９に臨む円形状の粘着剤層（図８）
８  折返し線
９  貫通孔
１０  応募券用シール（第２の実施例、図７）
Ｍ    商品（あるいはその包装容器）
Ｌ    応募券本体部３および当たり表示部４の長さ（図１、図８）
Ｗ１  応募券本体部３の幅
Ｗ２  当たり表示部４の幅（Ｗ２＜Ｗ１）
【図１】
2008145857.tif 000003
【図２】
2008145857.tif 000004
【図３】
2008145857.tif 000005
【図４】
2008145857.tif 000006
【図５】
2008145857.tif 000007
【図６】
2008145857.tif 000008
【図７】
2008145857.tif 000009
【図８】
2008145857.tif 000010